(57)【特許請求の範囲】
【請求項１】
電話サービスとデータ転送サービスの両方に転送ラインを共有するデータ通信システムであって、前記データ通信システムは、
電話サービスとデータ転送サービスを提供するセントラル・サイドであって、データを転送するために第１の種類の変調を用いてデータ転送サービスを提供するセントラル・サイド・トランスミッタと、
データを受信するため、第１の種類の復調又は第２の種類の復調のいずれかを用いるよう構成されたデータ転送サービスを提供するセントラル・サイド・レシーバと、
転送ラインに結合されるスプリッタ回路であって、転送ラインからの入力電話サービスを電話ネットワークへ向け、転送ラインからの入力データ転送サービスを前記セントラル・サイド・レシーバへ向け、出力電話サービス通信と出力データ転送サービス通信を転送ラインへ結合させる前記スプリッタ回路とを含む前記セントラル・サイドと、
電話サービスとデータ転送サービスを提供するリモート・サイドであって、前記リモート・サイドは電話サービス装置に結合され、前記リモート・サイドは、転送ラインに機能的に結合されるリモート・サイド・レシーバであって、データを受信するために第１の種類の復調を用いてデータ転送サービスを提供する前記リモート・サイド・レシーバと、
転送ラインに機能的に結合されるリモート・サイド・トランスミッタであって、データを転送するため、第１の種類の変調又は第２の種類の変調のいずれかを用いてデータ転送サービスを提供する前記リモート・サイド・トランスミッタとを含むリモート・サイドとを含み、
前記リモート・サイド・トランスミッタが第１の種類の変調を用いてデータ転送サービスを提供するとき、前記セントラル・サイド・レシーバは第１の種類の復調を用いるように構成され、
前記リモート・サイド・トランスミッタが第２の種類の変調を用いてデータ転送サービスを提供するとき、前記セントラル・サイド・レシーバは第２の種類の復調を用いるように構成される
データ通信システム。
【請求項２】
ワイヤでデータ通信するトランシーバ装置であって、前記装置は、
データを転送するために高ＰＡＲ型変調を用いてデータ転送サービスを提供するトランスミッタと、
データを受信するために高ＰＡＲ型復調を有する信号を復調することのできる第１のレシーバと、
データを受信するために低い又は中間のＰＡＲ型復調を有する信号を復調することのできる第２のレシーバと、
ワイヤからの入力データ転送サービス通信を受信するため、第１及び第２のレシーバから１つを選択するように機能的に接続されるスイッチ・ユニット
とを含むトランシーバ装置。
【発明の詳細な説明】
【０００１】
【発明の属する技術分野】
本発明はデータ通信システムに関連し、更に詳細には、共通のチャネルで異なるサービスを提供するデータ通信システムに関する。
【０００２】
【従来の技術及びその課題】
従来の通信システムを用いる場合、通信チャネルは、同じチャネルで作動する異なる装置によって共有されることが多い。従来の非同期デジタル加入者回線（ＡＤＳＬ）トランシーバ（即ち、モデム）では、通常、２対の「スプリッタ」フィルタを用いて、既存の電話サービス（Plain Old Telephone Service）（ＰＯＴＳ）と、同じラインで機能するＡＤＬＳサービスとを分ける。１対のスプリッタ・フィルタはセントラル・サイドに提供され、もう１対はリモート・サイドに提供される。それぞれのスプリッタ・フィルタ対は、信号をＰＯＴＳへ通すローパス・フィルタと、信号をＡＤＳＬサービスへ通すハイパス・フィルタとを含む。
図１は、通信チャネル（即ち、ライン）がＰＯＴＳとＡＤＳＬサービスの両方をサポートするデータ通信システム１０のブロック図である。データ通信システム１０は、セントラル・サイド１２とリモート・サイド１４を含む。セントラル・サイド１２は、例えば、中央局であり、リモート・サイド１４は、例えば、顧客の敷地（例えば、ビジネスの又は居住している敷地）に関連する。
セントラル・サイド１２は、ＤＭＴトランシーバ１６と電話ネットワーク１８を含む。ＤＭＴトランシーバ１６は、ＤＭＴトランスミッタ２０、ＤＭＴレシーバ２２、及びハイブリッド回路２４を含む。ＤＭＴトランスミッタ２０は、ハイブリッド回路２４を介するチャネルでデータを転送するよう作動する。ＤＭＴレシーバ２２は、そのチャネルで転送されハイブリッド回路２４で受信されるデータを受取るよう作動する。セントラル・サイド１２はスプリッタ２６（即ち、スプリッタ・フィルタの対）も含み、これは、ライン２８から電話ネットワーク１８へ入る低い周波数信号を通し、ライン２８からハイブリッド回路へ入る高い周波数信号を通す。
【０００３】
リモート・サイド１４は、ＤＭＴトランシーバ３０と顧客電話サービス３２を含む。ＤＭＴトランシーバ３０は、ＤＭＴレシーバ３４、ＤＭＴトランスミッタ３６、及びハイブリッド回路３８を含む。リモート・サイド１４はスプリッタ４０（即ち、スプリッタ・フィルタの対）も含み、これは、顧客電話サービス３２とハイブリッド回路３８と共に、ライン２８に結合される。スプリッタ４０は、ライン２８から入る信号を、ハイブリッド回路３８又は顧客電話サービス３２のいずれかへ通すように作動する。ライン２８から入る信号が低周波数信号である場合、スプリッタ４０はその信号を顧客電話サービス３２へ送る。一方、ライン２８から入る信号が高周波数信号である場合、スプリッタ４０はその信号をトランシーバ３０のハイブリッド回路３８へ送る。
このように、データ通信システム１０は、同じライン（即ち、ライン２８）でＡＤＳＬサービスとＰＯＴＳサービスを提供することができる。スプリッタ２６及び４０は、異なるサービスを適切にフィルタして、信号を適切なサービスに向けるよう作動する。ＡＤＳＬに関する更なる詳細は、ネットワーク及び顧客インストレーション・インターフェース−非同期デジタル加入者回線（ＡＤＳＬ）メタリック・インタフェースに関する標準ＡＮＳＩ  Ｔ１．４１３−１９９５を公表した米国規格協会（ＡＮＳＩ）にあり、参照のためここに組み込む。
しかし、共通の通信チャネルで複数のサービスをサポートするデータ通信システムの従来の設計には幾つかの問題点がある。リモートＡＤＳＬトランシーバ（図１に示したリモート・トランシーバ３０など）の１つの問題点は、スプリッタ（例えば、スプリッタ４０）に関連するローパス・フィルタは、顧客の敷地へのライン（例えば、ライン２８）の入り口近くに取付ける必要があることである。上述のように、スプリッタの設計は２つのフィルタ（即ち、スプリッタ・フィルタ）を含み、１つのフィルタ（ハイパス・フィルタ）はトランシーバ（即ち、トランシーバ３０）内に又はそれに結合して形成され、もう１つのフィルタ（ローパス・フィルタ）は顧客の敷地へのラインの入り口に取付けられる。顧客の敷地にこのようなフィルタ（即ち、ローパス・フィルタ）を取付けることは、顧客にとっても電話サービス・プロバイダにとっても、不便であり、負担となる。
【０００４】
幾つかのデータ通信システムは、リモート・サイドのスプリッタに関連するローパス・フィルタをなくす努力をしている。これによって、顧客の敷地にローパス・フィルタを取付けなければならない不便さや負担は避けられるが、こうすることにより、顧客の敷地の電話に高レベルの雑音が発生して、その使用を妨げるか、ユーザにとって満足できないものとなる。更に詳しく言えば、ＤＭＴ（discrete multi-tone）変調を用いるＡＤＳＬトランシーバの場合、顧客が、顧客の敷地のスプリッタにローパス・フィルタを持たないＤＭＴ変調技術を用いて上りの（即ち、中央局へ向かって）データを転送するとき、多数の電話の回路の非線形性が、電話の話者によって発せられ電話の受話器から聞こえる雑音を耐え難い高レベルにすることがある。
顧客の敷地のスプリッタに関連するローパス・フィルタを持たないＡＤＳＬシステムに生じる雑音の問題を解決するために提案されている別のアプローチは、より低い電力レベルで転送するか、より効率のよくない変調技術を用いることである。より低い電力レベルでの転送は、サポートされ得る有効データ・レートを著しく低下させる。（高電力レベルの）ＤＭＴ変調は高データ・レートを提供するが、これは高信号強度を有する高周波数信号を使用する。これらの結果の高信号強度は、上述のように、顧客の電話での望ましくない雑音のもととなる。より効率のよくない変調技術は、より低い信号強度又は周波数を有する信号を用いるために生成する雑音がより小さい。しかし、ＤＭＴの代りに効率のよくない変調技術を用いることにより、システムの性能も有効データ・レートの点で低減する。
このように、顧客のロケーションにスプリッタのローパス・フィルタの部分を必要とすることなく、同じラインで電話サービスとＡＤＳＬサービスを作動させることの可能な、改良された技術が必要とされている。
【０００５】
【課題を達成するための手段及び作用】
本発明は、リモート・サイトにスプリッタがないときでも、異なる種類のサービスをリモート・サイトに提供するデータ通信システムに関連する。セントラル・サイト（例えば、中央局）は、少なくとも２つの異なる種類のリモート・サイトと通信することができる。１つの種類のリモート・サイトは、フル・スプリッタ（即ち、ローパス・フィルタとハイパス・フィルタの両方）を含み、別の種類のリモート・サイトは、部分スプリッタのみを有する（即ち、ハイパス・フィルタを含むがローパス・フィルタを有さない）。従来、これらのリモート・サイトのトランシーバ（例えば、ＡＤＳＬトランシーバ）は同じ設計で、上り転送に下り転送と同じ変調技術を用いているが、ここでは、ローパス・フィルタのないリモート・サイト（即ち、部分スプリッタ型のリモート・サイト）は、上り転送には異なる変調技術を用いる。例として、完全なスプリッタを持たないリモート・サイトは、上り転送には連続位相変調（ＣＰＭ）を、下り転送にはＤＭＴ（discrete multi-tone）を用いることができる。更に一般的に言えば、スプリッタのない設計でも電話サービスに雑音をもたらさない下り転送には、ＤＭＴのような高ＰＡＲ（peak-average-ratio）技術を用いることができるが、上り転送では、電話サービスで生成される雑音のレベルを著しく減少させるために、ＰＡＲが一層低い技術（例えば、ＣＰＭ、ＱＡＭ、ＦＳＫなど）を用いることができる。セントラル・サイトは、異なる種類のリモート・サイトの両方と通信することができる。セントラル・サイトは、リモート・サイトによって用いられる変調の種類（例えば、低ＰＡＲ技術）に従って、種々のレシーバ・ユニットから選択する。本発明は、装置、システム、方法、又はコンピュータ読出し可能な媒体、などを含む多くの方法で実施することができる。本発明の幾つかの実施例を以下に説明する。
【０００６】
ワイヤでデータ通信するためのトランシーバ装置として、本発明の実施例は、データを転送するために高ＰＡＲ型変調を用いるデータ転送サービスを提供するトランスミッタと、データを受信するため、高ＰＡＲ型復調を有する信号を復調することのできる第１のレシーバと、データを受信するため、低い又は中間のＰＡＲ型復調を有する信号を復調することのできる第２のレシーバと、ワイヤからの入力データ転送サービス通信を受信するため、第１及び第２のレシーバから１つを選択するように機能的に接続されるスイッチ・ユニットとを含む。
電話サービスとデータ転送サービスの両方のために転送ラインを共有するデータ転送システムとして、本発明の一つの実施例は、電話サービスとデータ転送サービスを提供するセントラル・サイドと、電話サービスとデータ転送サービスを提供するリモート・サイドを含む。リモート・サイドは電話サービス装置に結合される。セントラル・サイドは、データを転送するために第１の種類の変調を用いるデータ転送サービスを提供するセントラル・サイド・トランスミッタと、データを受信するために第１の種類の復調又は第２の種類の復調のいずれかを用いるよう構成されるデータ転送サービスを提供するセントラル・サイド・レシーバと、転送ラインに結合されるスプリッタ回路とを含む。スプリッタ回路は、転送ラインからの入力電話サービス通信を電話ネットワークへ向け、転送ラインからの入力データ転送サービス通信をセントラル・サイド・レシーバへ向け、出力電話サービス通信と出力データ転送サービス通信を転送ラインへ結合させる。リモート・サイドは、データを受信するために第１の種類の復調を用いてデータ転送サービスを提供するリモート・サイド・レシーバと、データを転送するために第１の種類の変調又は第２の種類の変調のいずれかを用いてデータ転送サービスを提供するリモート・サイド・トランスミッタとを含む。リモート・サイド・トランスミッタが第１の種類の変調を用いてデータ転送サービスを提供するとき、セントラル・サイド・レシーバは第１の種類の復調を用いるように構成され、リモート・サイド・トランスミッタが第２の種類の変調を用いてデータ転送サービスを提供するとき、セントラル・サイド・レシーバは第２の種類の復調を用いるように構成される。
【０００７】
電話サービスと高速データ転送サービスの両方のために転送ラインを共有するデータ通信システムとして、本発明の別の実施例は、電話サービスと高速データ転送サービスを提供するセントラル・サイドと、電話サービスと高速データ転送サービスを提供する第１のリモート・サイドとを含む。リモート・サイドは電話サービス装置に結合される。セントラル・サイドは、データを転送するために第１の種類の変調を用いる高速データ転送サービスを提供するセントラル・サイド・トランスミッタと、データを受信するために第１の種類の復調を用いて高速データ転送サービスを提供するセントラル・サイドの第１のレシーバと、データを受信するために第２の種類の復調を用いて高速データ転送サービスを提供するセントラル・サイドの第２のレシーバと、入力高速データ転送サービス通信を受信するために、セントラル・サイドの第１のレシーバとセントラル・サイドの第２のレシーバから１つを選択するよう機能的に接続されるスイッチ・ユニットと、転送ラインからの入力電話サービス通信を電話ネットワークへ向け、転送ラインからの入力高速データ通信をスイッチ・ユニットへ向け、出力電話サービス通信と出力高速データ転送サービス通信を転送ラインへ結合するスプリッタ回路とを含む。第１のリモート・サイドは、転送ラインからの入力高速データ転送サービス通信を通し、転送ラインからの入力電話サービス通信をブロックするハイパス・フィルタ回路と、データを受信するために第１の種類の復調を用いて高速データ転送サービスを提供するリモート・サイドの第１のレシーバと、データを転送するために第２の種類の変調を用いて高速データ転送サービスを提供するリモート・サイドの第１のトランスミッタとを含む。リモート・サイドは、電話サービス装置に結合されるローパス・フィルタ回路を持たないことが好ましい。任意に、第１の種類の変調はＤＭＴ変調を用い、第１の種類の復調はＤＭＴ変調を用い、更に、第２の種類の変調は連続位相変調を用い、第２の種類の復調は連続位相復調を用いてもよい。
電話サービスと高速データ転送サービスの両方のために転送ラインを共有するデータ通信システムとして、本発明の更に別の実施例は、電話サービスと高速データ転送サービスを提供するセントラル・サイドと、電話サービスと高速データ転送サービスを提供するリモート・サイドと、電話サービス装置に結合されるリモート・サイドとを含む。セントラル・サイドは、データを転送するためにマルチキャリア変調を用いて高速データ転送サービスを提供するセントラル・サイドＤＭＴトランスミッタと、データを受信するためにマルチキャリア復調を用いて高速データ転送サービスを提供するセントラル・サイドＤＭＴレシーバと、データを受信するために連続位相復調を用いて高速データ転送サービスを提供するセントラル・サイドＣＰＭレシーバと、転送ラインに結合されるスプリッタ回路であって、転送ラインからの入力電話サービス通信を電話ネットワークに向け、転送ラインからの入力高速データ転送サービス通信をセントラル・サイドＤＭＴトランシーバに向け、出力電話サービス通信と出力高速データ転送サービス通信を転送ラインに結合するスプリッタ回路と、転送ラインからの入力高速データ転送サービス通信を受信するために、セントラル・サイドＤＭＴレシーバとセントラル・サイドＣＰＭレシーバから１つを選択するように機能的に接続されるスイッチ・ユニットとを含む。リモート・サイドは、転送ラインに機能的に結合されるフィルタ回路であって、転送ラインからの入力高速データ転送サービス通信を通し、転送ラインからの電話サービス通信をブロックするフィルタ回路と、フィルタ回路に機能的に結合されるリモート・サイドＤＭＴレシーバであって、データを受信するためにマルチキャリア復調を用いて高速データ転送サービスを提供するリモート・サイドＤＭＴレシーバと、フィルタ回路に機能的に結合されるリモート・サイドＣＰＭトランスミッタであって、データを転送するために連続位相変調を用いて高速データ転送サービスを提供するリモート・サイドＣＰＭトランスミッタとを含む。
【０００８】
本発明の利点は非常に多い。本発明の一つの利点は、リモート・サイドがスプリッタレス・オペレーションを使うとき電話に従来生じていた望ましくないレベルの雑音が、本発明によってなくなるか又は実質的に低減されることである。別の利点は、セントラル・サイドは、スプリッタあり又はスプリッタなしのいずれのオペレーションも共通の設計でサポートすることができ、セントラル・サイドのレシーバは、リモート・サイトがスプリッタを有するか有さないかによって（又は用いられる変調技術によって）、単にそれぞれのリモート・サイド用に構成されることである。更に別の利点は、ハイブリッド・トランシーバをスプリッタレス・オペレーションと共に用いることにより、下り転送には、より高い性能の変調技術（例えば、ＤＭＴ）を継続して用い、一方、上り通信には、望ましくない雑音を減らすため、より低い性能の変調技術（例えば、ＣＰＭ）を用いることが可能である。
本発明の別の側面及び利点は、添付の図面に関連して本発明の原理の例として示した以下の説明から明らかになろう。
本発明は、添付の図面に関連した以下の詳細な説明によって容易に理解され得る。図面において同様の参照数字は同様の機能要素を指す。
【０００９】
【実施例】
図面を参照して本発明の一実施例を説明する。
本発明は、リモート・サイトにスプリッタがないときでもリモート・サイトに異なる種類のサービスを提供するデータ通信システムに関連する。セントラル・サイト（例えば、中央局）は、少なくとも２つの異なる種類のリモート・サイトと通信することができる。１つの種類のリモート・サイトは、フル・スプリッタ（即ち、ローパス・フィルタとハイパス・フィルタの両方）を含み、別の種類のリモート・サイトは、部分スプリッタのみを有する（即ち、ハイパス・フィルタを含むがローパス・フィルタがない）。従来、これらのリモート・サイトのトランシーバ（例えば、ＡＤＳＬトランシーバ）は同じ設計で、下り転送と同じ変調技術を上り転送に用いているが、ここでは、ローパス・フィルタのないリモート・サイト（即ち、部分スプリッタ型のリモート・サイト）は、上り転送には異なる変調技術を用いる。例として、完全なスプリッタを持たないリモート・サイトは、上り転送には連続位相変調（ＣＰＭ）を、下り転送にはＤＭＴ（discrete multi-tone）を用いることができる。更に一般的に言えば、スプリッタのない設計でも電話サービスに雑音をもたらさない下り転送には、ＤＭＴのような高ＰＡＲ（peak-average-ratio）技術を用いることができるが、上り転送では、電話サービスで生成される雑音のレベルを著しく減少させるために、一層低いＰＡＲ技術（例えば、ＣＰＭ、ＱＡＭ、ＦＳＫなど）を用いることができる。セントラル・サイトは、異なる種類のリモート・サイトの両方と通信することができる。セントラル・サイトは、リモート・サイトによって使用される変調の種類（例えば、低ＰＡＲ技術）に従って、２つのレシーバ・ユニットから１つを選択する。
リモート・サイトがハイパス・フィルタを含むこともできるが、リモート・サイトの部分スプリッタ設計はなお、スプリッタレス設計である又はスプリッタレス・オペレーションを有すると言える。言い換えれば、リモート・サイトに入る全ての信号は電話サービスで受信されるため、設計又はオペレーションはスプリッタレスである。スプリッタ設計又はオペレーションでは、入力信号は、幾つかはデータサービスへ送られ、他は電話サービスへ送られるように分けられる。図２は、本発明に従ったデータ通信システム２００のブロック図である。データ通信システム２００は、セントラル・サイド２０２とリモート・サイド２０４を含む。
【００１０】
データ通信システム２００のセントラル・サイド２０２は、マルチ変調型トランシーバ２０６と電話ネットワーク２０８を含む。マルチ変調型トランシーバ２０６は、ＤＭＴトランスミッタ２１０、ＤＭＴレシーバ２１２、ＣＰＭレシーバ２１４、ハイブリッド回路２１６、及びスイッチ・ユニット２１８を含む。ＤＭＴトランスミッタ２１０によって転送された信号は、ハイブリッド回路２１６に供給される。その後、ハイブリッド回路２１６は、出力信号をスプリッタ２２０へ送る。スプリッタ２２０は、その出力信号をライン２２２に結合する。
マルチ変調型トランシーバ２０６へと指定されているライン２２２から入るデータ信号は、スプリッタ２２０によってハイブリッド回路２１６へ向けられる。スプリッタ２２０は少なくとも１つの周波数ベース・フィルタを含み、高周波数信号はマルチ変調型トランシーバ２０６のハイブリッド回路２１６へ送られ、低周波数信号は電話ネットワーク２０８へ送られるように、入力信号を方向づける（又は分ける）。
高周波数信号の場合、ハイブリッド回路２１６はその後、これらの入力信号をスイッチ・ユニット２１８へ送る。その後スイッチ・ユニット２１８は、入力信号をＤＭＴレシーバ２１２又はＣＰＭレシーバ２１４のいずれかへ送るように作動する。スイッチ・ユニット２１８に供給される制御信号（ＣＮＴＬ）は、スイッチ・ユニット２１８が、入力信号をＤＭＴレシーバ２１２へ送るか又はＣＰＭレシーバ２１４へ送るかを決定する。ＤＭＴレシーバ２１２とＣＰＭレシーバ２１４から選択された１つはその後、復調及び他の通常の通信処理技術を行うことによって、関連する転送されたデータを回復させるように作動する。
電話ネットワーク２０８もスプリッタ２２０へ結合される。このため、ライン２２２からの入力信号（例えば、低周波数信号）は、それらが電話サービスに関するとき、スプリッタ２２０によって電話ネットワーク２０８へ送られ得る。
リモート・サイド２０４は、ライン２２２でセントラル・サイド２０２へ接続される。リモート・サイド２０４は、トランシーバ２２４と顧客電話サービス２２６を含む。トランシーバ２２４は、ＤＭＴレシーバ２２８、ＣＰＭトランスミッタ２３０、ハイブリッド回路２３２、及びフィルタ回路２３４を含む。フィルタ回路２３４は、ライン２２２へ及びライン２２２から、並びにハイブリッド回路２３２へ及びハイブリッド回路２３２から高周波数信号が通ることを可能にする。ライン２２２でセントラル・サイド２０２からリモート・サイド２０４へ入る高周波数を有する信号は、フィルタ回路２３４へ結合され、その後ハイブリッド回路２３２に結合される。その後、ハイブリッド回路２３２は、入力信号をＤＭＴレシーバ２２８へ向ける。ＤＭＴレシーバ２２８はその後、復調及び他の従来の処理タスクを行い、転送されたデータを回復させる。このように、セントラル・サイドのＤＭＴトランスミッタ２１０とリモート・サイトのＤＭＴレシーバ２２８は、トランスミッタ・レシーバ対を形成する。
【００１１】
ＣＰＭトランスミッタ２３０からの出力信号もハイブリッド回路２３２に供給される。これらの出力信号も高周波数であるため、ハイブリッド回路２３２は、その出力信号をフィルタ回路２３４を介してライン２２２へ結合する。この場合、ＣＰＭトランスミッタ２３０とＣＰＭレシーバ２１４は、トランスミッタ・レシーバ対を形成する。
顧客電話サービス２２６もライン２２２に結合される。顧客電話サービス２２６は、例えば、少なくとも１つの電話とのビジネス又は家庭用の内線電話配線を含む。このため、顧客電話サービス２２６は、電話の使用を介して、顧客の敷地へ従来の電話サービスを提供する。顧客の敷地にいる顧客は、このように通常のやり方で電話を使うことができる。
従って、図２に示した実施例において、ライン２２２は、セントラル・サイド及びリモート・サイドのトランシーバを用いるＡＤＳＬサービスを提供するだけでなく、電話ネットワークと関連する電話機とを用いる電話サービスも提供することができる。しかし、図２に示すデータ通信システム２００は、リモート・サイド２０４にスプリッタが提供されない、即ち、ローパス・フィルタがないため、リモート・サイドにスプリッタレス・オペレーションを有する。リモート・トランシーバ２２４は高周波数フィルタを提供するフィルタ回路２３４を含み得るが、リモート・サイト２０４はなお、スプリッタレス設計である又はスプリッタレス・オペレーションを有すると言える。言い換えれば、リモート・サイド２０４への全ての入力信号は、顧客電話サービス２２６で受信されるため、設計又はオペレーションはスプリッタレスである。スプリッタ設計又はオペレーションでは、入力信号は、幾つかがデータ・サービスへ送られ、他が電話サービスへ送られるように分けられる。
【００１２】
図３は、幾つかの電話の典型的な出力／入力特性の曲線３００を示す。図３を用いて、顧客の敷地にスプリッタ（即ち、ローパス・フィルタ）がないときに電話に生じる望ましくない雑音を、本発明がどれだけ低減するかを説明する。図３に示した出力／入力特性は、例えば、信号の大きさ又は信号の強さに関連し得るが、ここでは信号強度を用いる。一層低いレベルの入力及び出力信号強度では、出力対入力特性は本質的に線形であるが、一層高いレベルでは出力対入力特性は非線形であることに注意されたい。リモート・サイドでＤＭＴトランシーバが用いられる場合、転送される信号の信号強度は、曲線３００の非線形部分であり得る（図３に示したリファレンス・レベル５σを参照されたい）。リモート・サイドがスプリッタレスであるとき、ＤＭＴトランスミッタからの高周波数信号が電話に耐え難い量の雑音を生成させるのは、従来の電話のこれらの非線形性である。
このように、従来、ＤＭＴトランスミッタは、この曲線が非線形である一層高い信号強度の範囲で作動する。リモート・サイド２０４のＣＰＭトランスミッタをリモート・トランシーバ２２４で用いることによって、ＣＰＭトランスミッタ２３０からライン２２２に現れる転送レベルは、曲線３００の線形部分で大体表される（図３のリファレンス・レベルσを参照されたい）。図３に示すように、５σの５分の１であるこのレベルで、曲線３００は実質的に線形である。このような線形状態では、リモート・トランシーバ２２４からの高周波数データ転送によって電話機に生じる雑音レベルは最小であり許容可能であるとみなされる。従って、本発明は、上述の煩わしさの問題を効率的な方法で解決する。
更に、セントラル・サイド２０２で、トランシーバ２０６及び２２４はマルチ変調型のオペレーションを提供する。即ち、データ通信システム２００は、上り通信に、異なる非ＤＭＴ変調方式を用いるレシーバだけでなく、ＤＭＴ変調方式もサポートすることができる。下り通信にはＤＭＴ変調方式が用いられる。このため、マルチ変調型トランシーバ２０６は、特定のリモート・トランスミッタの変調型かどうかに依る適切な方法で復調するためにそのレシーバを切替え又は構成することができる。このため、リモート・トランシーバ２２４の場合、マルチ変調型トランシーバ２０６は、スイッチ・ユニット２１８が、ＣＰＭトランスミッタ２３０からライン２２２で入る信号をＣＰＭレシーバ２１４へ向けるようにすることができる。代替例として、リモート・トランシーバが、通常の、ＡＤＳＬなどの代りにＤＭＴトランスミッタである場合、マルチ変調型トランシーバ２０６は、スイッチ・ユニット２１８がライン２２２の入力信号をＤＭＴレシーバ２１２に向けるようにすることができる。
【００１３】
更に、リモート・サイド２０４をセントラル・サイド２０２とループ・タイムド（loop-timed）させ、ＤＭＴレシーバ２２８で受信された受信データに、ＣＰＭトランスミッタ２３０を周波数ロックさせることが望ましい。このようにして、リモート・サイドがＣＰＭトランスミッタを用いるかＤＭＴトランスミッタを用いるかに関わらず、セントラル・サイド２０２とリモート・サイド２０４は周波数同期されていることが可能である。
更に、ＣＰＭトランスミッタ２３０がＤＭＴサブキャリアの１つをそのキャリア周波数として用いることが望ましい。ＣＰＭトランスミッタ２３０のキャリア周波数がＤＭＴ周波数帯の中心付近のＤＭＴサブキャリアの１つであるように選択されるとき、ＣＰＭ転送で用いられる周波数帯は、ＤＭＴ転送で用いられるのとほぼ同じであり得る。
４相のみのＣＰＭ（Ｃ４ＰＭ）を用いるデータ通信システムの信号対雑音比（ＳＮＲ）は、２ビット／秒／Ｈｚで転送する他の任意の変調方法とほぼ同じであるが、ビット／秒／Ｈｚの数が増加するに従って、関連するＣＰＭ性能は低下する。このようなアプローチの予想される実用限界は、４ビット／秒／Ｈｚで転送することができる１６相ＣＰＭ（Ｃ１６ＰＭ）であり得る。Ｃ１６ＰＭは、Ｃ４ＰＭアプローチより約４．２ｄＢ劣るが、データ転送レートは倍増する。
上りチャネルの最大有効バンド幅は約８０ｋＨｚであり、例えば、ビデオ会議のようなデータ・サービスをサポートするよう３８４ｋビット／秒を転送するために、低い雑音及び干渉のループにあることが望ましい。このようなデータ・レートは５ビット／秒／Hｚを必要とする。このため、オプショナルのシステムとして、５ビット／秒／Hｚで転送することのできるスーパーインポーズされた２つの振幅レベルのＣ１６ＰＭも考え得る。このようなシステムは、性能において、３２ポイント４相変調（ＱＡＭ）又はＤＭＴに１．９ｄＢしか劣らない。ＣＰＭを除く、低ＰＡＲを提供する他の変調方法には、スタガードＱＡＭ、周波数偏移変調（ＦＳＫ）、連続位相ＦＳＫ、及び最小周波数偏移変調（ＭＳＫ）があり得る。
【００１４】
図４は、本発明の一実施例に従ったセントラル・サイド・トランシーバの初期化処理４００の一部のフローチャートである。図４に示した初期化処理４００の一部は、特定のリモート・トランシーバが、比較的高いＰＡＲを有するＤＭＴ変調方式よりも低いＰＡＲ（peak-average-ratio）変調方式（例えば、ＣＰＭ）を用いてセントラル・サイドへ転送することを望んでいるかどうかを検出する際に、本発明で用いられる初期化の特定の部分を表す。初期化処理の他の部分は従来技術で既知であり、以下で参照するＡＤＳＬのＡＮＳＩ標準を参照されたい。
初期化処理４００は、まずリモート・トランスミッタから初期化情報を受取る（４０２）。次に、セントラル・サイド・トランシーバは、初期化処理を行うセントラル・サイドへデータを転送する際にリモート・トランスミッタがＣＰＭ型変調を用いているか又は用いることを望んでいるかを決定する。判定ブロック４０４は、例えば、セントラル・サイド・トランシーバに関連する制御装置（図示せず）によって成され得る。判定ブロック４０４が、リモート・トランスミッタがＣＰＭ型変調を用いているか又は用いることを望んでいると決定すると、スイッチは、セントラル・サイドのＣＰＭレシーバ（例えば、ＣＰＭレシーバ２１４）を選択するようセットされ得る（４０６）。一方、判定ブロック４０４が、リモート・トランスミッタがＣＰＭ型変調を用いていない又は用いることを望んでいないと決定すると、スイッチは、ＤＭＴレシーバ（例えば、ＤＭＴレシーバ２１２）を選択するようセットされ得る（４０８）。ブロック４０６又は４０８の後、初期化処理４００のその部分は完了し終了する。
データ通信に関する更なる詳細は、例えば、米国特許登録番号、第５，４７９，４４７号、第５，５９６，６０４号、第５，６２３，５１３号、及び第５，６２７，８６３号にあり、参照のためこれらをここに組み込む。ネットワーク及び顧客インストレーション・インターフェース−非同期デジタル加入者回線（ＡＤＳＬ）メタリック・インタフェースに関する標準ＡＮＳＩ  Ｔ１．４１３−１９９５を公表した米国規格協会（ＡＮＳＩ）にＡＤＳＬに関する更なる詳細があり、参照のためここに組み込む。
本発明の多くの特性及び利点は、記述された説明から明らかであり、このため、添付の特許請求の範囲が本発明のこのような特性及び利点をすべて包含することを意図している。更に、数多くの変更及び変形が当業者には容易であるため、図示及び説明した構造及びオペレーションに本発明を限定することは望ましくない。従って、全ての適切な変更及び同等物は本発明の範囲に入るものである。
【００１５】
以上の説明に関して更に次の項を開示する。
（１）  電話サービスとデータ転送サービスの両方に転送ラインを共有するデータ通信システムであって、前記データ通信システムは、
電話サービスとデータ転送サービスを提供するセントラル・サイドであって、データを転送するために第１の種類の変調を用いてデータ転送サービスを提供するセントラル・サイド・トランスミッタと、
データを受信するため、第１の種類の復調又は第２の種類の復調のいずれかを用いるよう構成されたデータ転送サービスを提供するセントラル・サイド・レシーバと、
転送ラインに結合されるスプリッタ回路であって、転送ラインからの入力電話サービスを電話ネットワークへ向け、転送ラインからの入力データ転送サービスを前記セントラル・サイド・レシーバへ向け、出力電話サービス通信と出力データ転送サービス通信を転送ラインへ結合させる前記スプリッタ回路とを含む前記セントラル・サイドと、
電話サービスとデータ転送サービスを提供するリモート・サイドであって、前記リモート・サイドは電話サービス装置に結合され、前記リモート・サイドは、転送ラインに機能的に結合されるリモート・サイド・レシーバであって、データを受信するために第１の種類の復調を用いてデータ転送サービスを提供する前記リモート・サイド・レシーバと、
転送ラインに機能的に結合されるリモート・サイド・トランスミッタであって、データを転送するため、第１の種類の変調又は第２の種類の変調のいずれかを用いてデータ転送サービスを提供する前記リモート・サイド・トランスミッタとを含むリモート・サイドとを含み、
前記リモート・サイド・トランスミッタが第１の種類の変調を用いてデータ転送サービスを提供するとき、前記セントラル・サイド・レシーバは第１の種類の復調を用いるように構成され、
前記リモート・サイド・トランスミッタが第２の種類の変調を用いてデータ転送サービスを提供するとき、前記セントラル・サイド・レシーバは第２の種類の復調を用いるように構成される
データ通信システム。
【００１６】
（２）  第１項に記載のデータ通信システムであって、前記リモート・サイドは、転送ラインと前記リモート・サイド・トランスミッタ及びレシーバの間に機能的に接続されるフィルタ回路であって、転送ラインからの入力データ転送サービス通信を前記リモート・サイド・レシーバへ通し、転送ラインからの入力電話サービス通信を前記リモート・サイド・レシーバからブロックする前記フィルタ回路を更に含むデータ通信システム。
（３）  第１項に記載のデータ通信システムであって、第１の種類の変調は、第２の種類の変調より大きなデータ転送レートを提供し、更に、第１の種類の変調は、第２の種類の変調が用いる信号より大きなＰＡＲ（peak-to-average ratio）を有する信号を用いるデータ通信システム。
（４）  第１項に記載のデータ通信システムであって、第１の種類の変調は、第２の種類の変調より大きなデータ転送レートを提供し、更に、第１の種類の変調はＰＡＲが一層高い信号を用い、第２の種類の変調はＰＡＲが一層低い信号を用いるデータ通信システム。
（５）  第１項に記載のデータ通信システムであって、前記リモート・サイドは、顧客電話サービスに関連するスプリッタレス・オペレーションを有するデータ通信システム。
（６）  第４項に記載のデータ転送システムであって、前記リモート・サイドは、顧客電話サービスに関連するスプリッタレス・オペレーションを有するデータ通信システム。
（７）  第６項に記載のデータ通信システムであって、
第１の種類の変調は、第２の種類の変調より大きなデータ転送レートを提供し、更に、第１の種類の変調はＰＡＲが一層高い信号を用い、第２の種類の変調はＰＡＲが一層低い信号を用い、
転送ラインで前記セントラル・サイドへデータを転送する際に第２の種類の変調を用いる前記リモート・サイド・トランスミッタによって、そうでない場合に、前記リモート・サイドがスプリッタレス・オペレーションを有していても第１の種類の変調が用いられる場合に生成されるより、顧客電話サービス装置で生成される雑音が実質的に一層少なくなるデータ通信システム。
【００１７】
（８）  第７項に記載のデータ通信システムであって、
前記リモート・サイドは、前記セントラル・サイドに関してループ・タイムドされ、
前記リモート・サイド・トランスミッタは、前記リモート・サイド・レシーバによって受信される受信データに周波数ロックされる
データ通信システム。
（９）  第８項に記載のデータ通信システムであって、第１の種類の変調は、データを転送する際、複数のサブキャリア周波数を使用し、
前記リモート・サイド・トランスミッタは、そのキャリア周波数としてサブキャリア周波数の１つを使用する
データ通信システム。
（１０）  第１項に記載のデータ通信システムであって、前記セントラル・サイドは、対で配置される複数の前記セントラル・サイド・トランスミッタと複数のセントラル・サイド・レシーバを含み、
前記リモート・サイドは、前記セントラル・サイドによるサービスである複数の前記リモート・サイドを含み、前記リモート・サイドのそれぞれは、前記リモート・サイドがスプリッタ・オペレーションを有するとき、第１の種類の変調を用いる前記リモート・サイド・トランスミッタを含み、そうでなければ、前記リモート・サイドのそれぞれは、前記リモート・サイドがスプリッタレス・オペレーションを有するとき、第２の種類の変調を用いる前記リモート・サイド・トランスミッタを含む
データ通信システム。
【００１８】
（１１）  第１０項に記載のデータ通信システムであって、
第１の種類の変調はＤＭＴ（discrete multi-tone）変調を用い、第１の種類の復調はＤＭＴ変調を用い、
第２の種類の変調は連続位相変調を用い、第２の復調は連続位相変調を用いる
データ通信システム。
（１２）  第１１項に記載のデータ通信システムであって、第２の種類の変調は、複数の振幅レベルの連続位相変調を用いるデータ通信システム。
（１３）  電話サービスと高速データ転送サービスの両方に転送ラインを共有するデータ通信システムであって、前記データ通信システムは、
電話サービスと高速データ転送サービスを提供するセントラル・サイドであって、
データを転送するために第１の種類の変調を用いて高速データ転送サービスを提供するセントラル・サイド・トランスミッタと、
データを受信するため、第１の種類の復調を用いて高速データ転送サービスを提供するセントラル・サイドの第１のレシーバと、
データを受信するため、第２の種類の復調を用いて高速データ転送サービスを提供するセントラル・サイドの第２のレシーバと、
入力高速データ転送サービス通信を受信するため、前記セントラル・サイドの第１のレシーバと前記セントラル・サイドの第２のレシーバから１つを選択するように機能的に接続されるスイッチ・ユニットと、
転送ラインと前記スイッチ・ユニットに結合されるスプリッタ回路であって、転送ラインからの入力電話サービスを電話ネットワークへ向け、転送ラインからの入力高速データ転送サービスを前記スイッチ・ユニットへ向け、出力電話サービス通信と出力データ転送サービス通信を転送ラインへ結合させる前記スプリッタ回路
とを含む前記セントラル・サイドと、
電話サービスと高速データ転送サービスを提供する第１のリモート・サイドであって、前記リモート・サイドは電話サービス装置に結合され、前記第１のリモート・サイドは、
転送ラインに機能的に結合されるハイパス・フィルタ回路であって、転送ラインからの入力高速データ転送サービス通信を通し、転送ラインからの電話サービス通信をブロックする前記ハイパス・フィルタ回路と、
前記ハイパス・フィルタ回路に機能的に結合されるリモート・サイドの第１のレシーバであって、データを受信するために第１の種類の復調を用いて高速データ転送サービスを提供する前記リモート・サイドの第１のレシーバと、
前記ハイパス・フィルタ回路に機能的に結合されるリモート・サイドの第１のトランスミッタであって、データを受信するために第２の種類の変調を用いて高速データ転送サービスを提供する前記リモート・サイドの第１のトランスミッタとを含む
データ通信システム。
【００１９】
（１４）  第１３項に記載のデータ通信システムであって、第１の種類の変調はＤＭＴ変調を用い、第１の種類の復調はＤＭＴ変調を用いるデータ通信システム。
（１５）  第１４項に記載のデータ通信システムであって、第２の種類の変調は連続位相変調を用い、第２の種類の復調は連続位相変調を用いるデータ通信システム。
（１６）  第１４項に記載のデータ通信システムであって、第２の種類の変調は、複数の振幅レベルの連続位相変調を用いるデータ通信システム。
（１７）  第１３項に記載のデータ通信システムであって、前記スイッチ・ユニットは制御信号によって制御されるデータ通信システム。
（１８）  第１３項に記載のデータ通信システムであって、リモート・サイドはスプリッタ回路を持たないデータ通信システム。
（１９）  第１３項に記載のデータ通信システムであって、
電話サービスと高速データ転送サービスを提供する第２のリモート・サイドであって、前記リモート・サイドは電話サービス装置に結合され、
データを受信するため、第１の種類の復調を用いて高速データ転送サービスを提供するリモート・サイド・レシーバと、
データを転送するため、第１の種類の変調を用いて高速データ転送サービスを提供するリモート・サイド・トランスミッタと、
転送ラインと前記リモート・サイド・レシーバ及びトランスミッタの間に結合されるスプリッタ回路であって、転送ラインからの入力電話サービス通信を電話サービス装置に向け、転送ラインからの入力高速データ転送サービス通信を前記リモート・サイド・レシーバに向け、出力電話サービス通信と出力データ転送サービス通信を転送ラインに結合する前記スプリッタ回路と、
とを含む前記第２のリモート・サイド
を更に含むデータデータ通信システム。
【００２０】
（２０）  第１９項に記載のデータ通信システムであって、前記セントラル・サイド・トランスミッタと、第１及び第２のリモート・サイドの前記リモート・サイド・レシーバはマルチキャリア変調／復調を用いるデータ通信システム。
（２１）  第２０項に記載のデータ通信システムであって、第１の種類の変調はＤＭＴ変調を用い、第１の種類の復調はＤＭＴ変調を用いるデータ通信システム。
（２２）  第２１項に記載のデータ通信システムであって、第２の種類の変調は連続位相変調を用い、第２の復調は連続位相変調を用いるデータ通信システム。
（２３）  第１３項に記載のデータ通信システムであって、
前記第１のリモート・サイドは、前記セントラル・サイドに関してループ・タイムドされ、
前記リモート・サイドの第１のトランスミッタは、前記リモート・サイドの第１のレシーバによって受信される受信データに周波数ロックされるデータ通信システム。
（２４）  第２３項に記載のデータ通信システムであって、第１の種類の変調は、データを転送する際に複数のサブキャリア周波数を用い、
前記リモート・サイド・トランスミッタは、そのキャリア周波数としてサブキャリア周波数の１つを用いる
データ通信システム。
（２５）  第１３項に記載のデータ通信システムであって、第１の変調は、データを転送する際に複数のサブキャリア周波数を用い、
前記リモート・サイド・トランスミッタは、そのキャリア周波数としてサブキャリア周波数の１つを用いる
データ通信システム。
【００２１】
（２６）  電話サービスと高速データ転送サービスの両方に転送ラインを共有するデータ転送システムであって、前記データ通信システムは、
電話サービスと高速データ転送サービスを提供するセントラル・サイドであって、
データを転送するためにマルチキャリア変調を用いて高速データ転送サービスを提供するセントラル・サイドＤＭＴトランスミッタと、
データを受信するためにマルチキャリア復調を用いて高速データ転送サービスを提供するセントラル・サイドＤＭＴレシーバと、
データを受信するために連続位相復調を用いて高速データ転送サービスを提供するセントラル・サイドＣＰＭレシーバと、
転送ラインに結合されるスプリッタ回路であって、転送ラインからの入力電話サービス通信を電話ネットワークに向け、転送ラインからの入力高速データ転送サービスを前記セントラル・サイドＤＭＴトランシーバへ向け、出力電話サービス通信と出力高速データ転送サービス通信を転送ラインへ結合させる前記スプリッタ回路と、
入力高速データ転送サービス通信を転送ラインから受信するため、前記セントラル・サイドＤＭＴレシーバと前記セントラル・サイドＣＰＭレシーバから１つを選択するように機能的に接続されるスイッチ・ユニット
とを含む前記セントラル・サイドと、
電話サービスと高速データ転送サービスを提供するリモート・サイドであって、前記リモート・サイドは電話サービス装置に結合され、
転送ラインに機能的に結合されるフィルタ回路であって、転送ラインからの入力高速データ転送サービス通信を通し、転送ラインからの入力電話サービス通信をブロックする前記フィルタ回路と、
前記フィルタ回路に機能的に結合されるリモート・サイドＤＭＴレシーバであって、データを受信するためにマルチキャリア復調を用いて高速データ転送サービスを提供する前記リモート・サイドＤＭＴレシーバと、
前記フィルタ回路に機能的に結合されるリモート・サイドＣＰＭレシーバであって、データを転送するために連続位相変調を用いて高速データ転送サービスを提供する前記リモート・サイドＣＰＭレシーバ
とを含む前記リモート・サイドと、
を含むデータ通信システム。
【００２２】
（２７）  第２６項に記載のデータ通信システムであって、
前記リモート・サイドは、前記セントラル・サイドに関してループ・タイムドされ、
前記リモート・サイドＣＰＭトランスミッタは、前記リモート・サイドＤＭＴレシーバによって受信される受信データに周波数ロックされる
データ通信システム。
（２８）  第２６項に記載のデータ通信システムであって、前記リモート・サイドＣＰＭトランスミッタは、そのキャリア周波数としてＤＭＴサブキャリアの１つを用いるデータ通信システム。
（２９）ワイヤでデータ通信するトランシーバ装置であって、前記装置は、
データを転送するために高ＰＡＲ型変調を用いてデータ転送サービスを提供するトランスミッタと、
データを受信するために高ＰＡＲ型復調を有する信号を復調することのできる第１のレシーバと、
データを受信するために低い又は中間のＰＡＲ型復調を有する信号を復調することのできる第２のレシーバと、
ワイヤからの入力データ転送サービス通信を受信するため、第１及び第２のレシーバから１つを選択するように機能的に接続されるスイッチ・ユニット
とを含むトランシーバ装置。
（３０）  第２９項に記載のトランシーバであって、
前記スイッチ・ユニットに機能的に接続され、前記第１及び第２のレシーバのうちどちらが前記スイッチ・ユニットによって選択されるべきかを判定する制御装置
を更に含むトランシーバ。
【００２３】
（３１）  第２９項に記載のトランシーバであって、前記トランシーバは、ワイヤでデータ通信サービスと電話サービスを提供するデータ通信システムで作動し、
前記トランシーバは、
ワイヤに結合されるスプリッタ回路であって、ワイヤからの入力電話サービス通信を電話ネットワークへ向け、ワイヤからの入力データ転送サービス通信を前記トランシーバへ向け、出力電話サービス通信と出力高速データ転送サービス通信をワイヤへ結合する前記スプリッタ回路
を更に含むトランシーバ。
（３２）  第３１項に記載のトランシーバであって、高ＰＡＲ型復調はＤＭＴであり、低い又は中間のＰＡＲ型復調はＣＰＭであるトランシーバ。
（３３）  第２９項に記載のトランシーバであって、高ＰＡＲ型復調はＤＭＴであり、低い又は中間のＰＡＲ型復調は、ＣＰＭ、ＦＳＫ、ＭＳＫ又はＱＡＭの１つであるトランシーバ。
（３４）  第２９項に記載のトランシーバであって、高ＰＡＲ型復調はＤＭＴであり、低い又は中間のＰＡＲ型復調は複数の振幅レベルのＣＰＭの１つであるトランシーバ。
【００２４】
（３５）  本発明は、リモート・サイトにスプリッタがないときでも、異なる種類のサービス（例えば、電話サービスと高速データ転送サービス）をリモート・サイトに提供するデータ通信システム２００を開示する。セントラル・サイト（例えば、中央局）２０２は、少なくとも２つの異なる種類のリモート・サイトと通信することができる。１つの種類のリモート・サイトは、フル・スプリッタ（即ち、ローパス・フィルタとハイパス・フィルタの両方）を含み、別の種類のリモート・サイト２０４は、部分スプリッタのみを有する（即ち、ハイパス・フィルタ２３４を含むがローパス・フィルタを有さない）。従来、これらのリモート・サイトのトランシーバ（例えば、ＡＤＳＬトランシーバ）は同じ設計であり、上り転送に下り転送と同じ変調技術を用いているが、ここでは、ローパス・フィルタのないリモート・サイト２０４（即ち、部分スプリッタ型のリモート・サイト）は、上り転送には異なる変調技術を用いる。例として、リモート・サイト２０４が完全なスプリッタを有さないデータ通信システム２００において、スプリッタレス設計でも電話サービスに雑音を起こさない下り転送で、ＤＭＴ（discrete multi-tone）などの高ＰＡＲ（peak-average-ratio）技術を用いることができ、電話サービスで生成される雑音レベルが著しく低減されるように、上り転送では低ＰＡＲ技術（例えば、ＣＰＭ、ＱＡＭ、ＦＳＫなど）を用いることができる。セントラル・サイト２０２は、異なる種類のリモート・サイトの両方と通信することができる。セントラル・サイト２０２は、用いられる変調の種類（例えば、低ＰＡＲ技術）に従って、種々のレシーバ・ユニットから選択する。
【図面の簡単な説明】
【図１】１つの通信チャネルが、異なるサービスをサポートするデータ通信システムのブロック図。
【図２】本発明の一実施例に従ったデータ通信システムのブロック図。
【図３】幾つかの電話の典型的な出力／入力特性の曲線を示す図。
【図４】本発明の一実施例に従ったセントラル・サイド・トランシーバの初期化処理の一部を示すフローチャート。
【符号の説明】
２００  データ通信システム
２０２  セントラル・サイド
２０４  リモート・サイド
２０６  トランシーバ
２０８  電話ネットワーク
２１０  ＤＭＴトランスミッタ
２１２、２２８  ＤＭＴレシーバ
２１４  ＣＰＭレシーバ
２１６、２３２  ハイブリッド回路
２１８  スイッチ・ユニット
２２０  スプリッタ
２２２  ライン
２２４  リモート・トランシーバ
２２６  顧客電話サービス
２３０  ＣＰＭトランスミッタ
２３４  フィルタ回路
【図１】
0004176907.tif 000002
【図２】
0004176907.tif 000003
【図３】
0004176907.tif 000004
【図４】
0004176907.tif 000005